(57)【要約】【課題】組み立て容易で、組み立て完了後における端子板の抜けが確実に防止できるようにする。【解決手段】アンテナ用コイル装置１００は、磁芯１にリード線２を巻回してなるコイル部１２を、プラスチック樹脂製のケース３上に搭載するとともに、ケース３の一側に、コイル部１２のリード線２の一端および他端を、それぞれ外部装置に電気的に接続する端子板４、５が突出するように配されてなる。端子板４の内挿端部部分４Ｃには、凹溝４Ｄが形成されて、先端部分が先割り状の部位４Ｅ，４Ｆとなっている。この先割り状の部位４Ｅ，４Ｆの外側には、テーパ部７が形成され、このテーパ部７の終端部分は内挿端部部分４Ｃの横方向に突出形成されたひっかかり部８へ連接されている。そのため、内挿端部部分４Ｃのケース３への挿入が容易となるとともに、ケース３からの抜けが阻止できるようになっている。【選択図】          図１
2006311281.tif 000002
【特許請求の範囲】
【請求項１】
絶縁部材からなるベース部材と、前記ベース部材に固定されるとともにコイルの巻線端部が各々接続される２つの端子板とにより、該コイルが保持されてなるアンテナ用コイル装置であって、
前記２つの端子板の一方は、前記ベース部材に挿入される一端側が挿入方向に対して横方向へ撓み可能に形成されるとともに、当該一端側および前記ベース部材には、当該一端側が該ベース部材に挿入された場合に、この挿入方向とは逆方向への前記端子板の抜けを阻止する係止部が形成されてなることを特徴とするアンテナ用コイル装置。
【請求項２】
前記２つの端子板の一方の前記ベース部材に挿入される前記一端側は、その先端部から該挿入方向とは逆方向に向かう凹溝が設けられて先割り状に形成されてなることを特徴とする請求項１記載のアンテナ用コイル装置。
【請求項３】
前記係止部は、前記先割り状に形成された部位において、前記挿入方向に対し横方向へ突出したひっかかり部と、
前記一端側が挿入される前記ベース部材の挿入溝の内側側壁に突出形成された係止突起とを有してなることを特徴とする請求項２記載のアンテナ用コイル装置。
【請求項４】
前記ひっかかり部を挟んで前記先割り状に形成された部位の先端側とは反対側に位置する前記ひっかかり部に隣接する部位には、前記係止突起が嵌合する凹部が形成されてなることを特徴とする請求項３記載のアンテナ用コイル装置。
【請求項５】
前記先割り状に形成された部位には、前記凹溝と反対側の外縁において、その先端部から前記ひっかかり部へ到る領域にテーパ部が形成されてなることを特徴とする請求項３または４記載のアンテナ用コイル装置。
【発明の詳細な説明】
【技術分野】
【０００１】
本発明は、例えば、車両の後部窓ガラスのデフォッガ用加熱線条のバスバー上に設けられるアンテナ用コイル装置に関し、特に、組立容易性の向上等を図ったものに関する。
【背景技術】
【０００２】
従来より、車両内でラジオ放送やテレビ放送を聴取するため、リアウインド内に設けられたデフォッガの加熱線や、この加熱線の周辺部に設けたアンテナ線条をラジオ放送やテレビ放送の受信アンテナとした自動車ガラスアンテナが知られている。
【０００３】
かかる自動車ガラスアンテナにより受信されたラジオ放送やテレビ放送の電波信号は、デフォッガの加熱線に電力を供給するバッテリ出力に含まれるノイズの影響を受けることが多く、また、デフォッガ用加熱線とバッテリとを接続する給電線を介してボディーや直流電源側に漏洩してしまうことがある。
【０００４】
このようなことから、自動車ガラスアンテナを用いる場合、その受信信号へのノイズの重畳や、ボディー等への信号漏洩を抑制するため、自動車ガラスアンテナとボディーやバッテリとの間にアンテナ用コイル装置と称されるチョークコイルを挿入する手法が知られている。
【０００５】
このようなアンテナ用コイル装置としては、種々の構造のものが提案されているが、例えば、自動車から受ける振動に対する強度確保等の観点から、ソレノイド状に形成されたコイルの長手軸方向に沿うようにして比較的厚みのある２つの端子板が設けられるとともに、これら２つの端子板とコイルを一体に保持する樹脂部材が設けられた構成を有するもの等が提案されている（例えば、特許文献１参照）。
【０００６】
【特許文献１】特開２００５−８６４０２号公報
【発明の開示】
【発明が解決しようとする課題】
【０００７】
ところで、上述のように端子板を樹脂部材により保持せしめる構成を採るものにあって、その具体的な保持構造は、組み立ての容易性を確保しつつ、しかも、組み立て後の保持の確実性等を具備しうるような構成とすることが必要である。
【０００８】
本発明は、このような事情に鑑みてなされたもので、組み立て容易で、しかも、組み立て完了後における端子板の抜けを確実に防止できる、信頼性の高いアンテナ用コイル装置を提供することを目的とするものである。
【課題を解決するための手段】
【０００９】
本発明のアンテナ用コイル装置は、絶縁部材からなるベース部材と、前記ベース部材に固定されるとともにコイルの巻線端部が各々接続される２つの端子板とにより、該コイルが保持されてなるアンテナ用コイル装置であって、
前記２つの端子板の一方は、前記ベース部材に挿入される一端側が挿入方向に対して横方向へ撓み可能に形成されるとともに、当該一端側および前記ベース部材には、当該一端側が該ベース部材に挿入された場合に、この挿入方向とは逆方向への前記端子板の抜けを阻止する係止部が形成されてなることを特徴とするものである。
【００１０】
前記２つの端子板の一方の前記ベース部材に挿入される前記一端側は、その先端部から該挿入方向とは逆方向に向かう凹溝が設けられて先割り状に形成されてなるものが好適である。
【００１１】
また、前記係止部は、前記先割り状に形成された部位において、前記挿入方向に対し横方向へ突出したひっかかり部と、
前記一端側が挿入される前記ベース部材の挿入溝の内側側壁に突出形成された係止突起とを有してなるものが好適である。
【００１２】
また、前記ひっかかり部を挟んで前記先割り状に形成された部位の先端側とは反対側に位置する前記ひっかかり部に隣接する部位には、前記係止突起が嵌合する凹部が形成されてなるものが好適である。
【００１３】
さらに、前記先割り状に形成された部位には、前記凹溝と反対側の外縁に、その先端部から前記ひっかかり部へ到る領域にテーパ部が形成されてなるものが好適である。
【発明の効果】
【００１４】
本発明のアンテナ用コイル装置によれば、ベース部材に挿入される端子板の一端側を、挿入方向に対して横方向に撓むことができるように形成する構成としたので、端子板のベース部材への挿入作業が容易となり、組み立て作業を効率良く行うことができる。しかも、端子板とベース部材との間で互いに係止される係止部を設けており端子板がベース部材に確実に固定されるため、ベース部材に挿入された端子板が組み立て後に容易に抜けるようなことが確実に防止され、信頼性の高いアンテナ用コイル装置を提供することができる。
【発明を実施するための最良の形態】
【００１５】
以下、本発明の実施形態に係るアンテナ用コイル装置について図１乃至図４を参照しつつ説明する。
図１は、本発明の実施形態に係るアンテナ用コイル装置１００を示すものであり、（Ａ）は上面側斜視図、（Ｂ）は底面側斜視図、（Ｃ）は端子板のみを取り出した状態を示す斜視図である。
【００１６】
図１（Ａ）、（Ｂ）に示すように、本発明の実施形態に係るアンテナ用コイル装置１００は、磁芯１にリード線２を巻回してなるコイル部１２を、プラスチック樹脂製のベース部材としてのケース３上に搭載するとともに、該ケース３の一側（以下、前側と称する）には、上記コイル部１２のリード線２の一端および他端を、それぞれ外部装置（図示せず）に電気的に接続する端子板４および端子板５が突出するように配されてなる。なお、２つの端子板４、５は、該ケース３の前側から突出するように設けられた外出端部部分４Ａ、５Ａにおいて、外部コネクタ接続を可能とするため、上下方向に所定距離だけ離間させるように配設されている。
【００１７】
また、図１（Ｃ）は、端子板４および端子板５のみの配置状態を示す概略図である。なお、これらの端子板４、５は真ちゅう等からなる金属板により形成されており、実際にはこれらの端子板４、５の間にケース３の一部が介在している。
【００１８】
図示するように、端子板４は、全体がクランク形状に形成され、外出端部部分４Ａに連続して、ケース３の前面板３Ａに沿うように配される立ち上り部４Ｂ、およびケース３の内部に挿入（圧入）される内挿端部部分４Ｃを備えている。そして、コイル部１２のリード線２の一端は、コイル部１２の下側に潜るように位置する内挿端部部分４Ｃに電気的に接続される。
一方、端子板５は、コイル部１２の軸方向に長い形状とされており、両端部には、ハンダ付けにより、例えば車両のリアウインドに設けられる、バスバー上に接合される取付面５Ｂ、５Ｃが形成されている。
【００１９】
また、上記取付面５Ｂ、５Ｃを含む端子板５の端部は、いずれも略クランク形状をなし、後側の取付面５Ｃに連続して、ケース３の後端に沿うように配される立ち上り部５Ｅ、およびケース３の内部に配されるリード線２の接続部５Ｆを備えている。コイル部１２のリード線２の他端は、上記接続部５Ｆにおいて、切欠き５Ｉに挿入され折り曲げられて、この端子板５と電気的に接続されるようになっている。
また、この端子板５は、上述した略クランク形状をなす両端部を接続する中央平坦部５Ｇを有している。
【００２０】
そして、図１（Ｃ）に示すように、端子板４の内挿端部部分４Ｃはコイル部１２の下側に潜るように配置され、一方、端子板５の中央平坦部５Ｇはバスバー（図示せず）の表面とは離間するように、上記取付面５Ｂ、５Ｃよりも上方に配置され、端子板４の内挿端部部分４Ｃと端子板５の中央平坦部５Ｇが近接して対向するように配置されるものとなっている。
【００２１】
さらに、本発明の実施の形態においては、特に組み立て容易性や、内挿端部部分４Ｃのケース３からの抜け防止等の観点から端子板４の内挿端部部分４Ｃが次述するような形状を有すると共に、端子板４の内挿端部部分４Ｃとケース３とを互いに係止するための係止部が形成されたものとなっている（図４参照）。
【００２２】
以下、図２乃至図４を参照しつつその詳細について説明する。
まず、端子板４の内挿端部部分４Ｃは、その先端部分からこの端子板４のケース３への挿入方向に沿って凹溝４Ｄが適宜な長さで形成されており、凹溝４Ｄが形成された部分は先割り状となっている。本発明の実施の形態における凹溝４Ｄは、ほぼＵ字形状を有するものとなっているが、勿論このような形状に限定されるものではない。例えば、Ｖ字形状とすることも可能である。
なお、端子板４の挿入方向は、図２を、端子板４の外出端部部分４Ａが左側に、内挿端部部分４Ｃが右側に、それぞれ位置するように見た場合、左側から右側へ向かう方向となる。
【００２３】
また図３に示すように、この先割り状に形成された２つの部位４Ｅ，４Ｆには、凹溝４Ｄと反対側の外縁部分に、その先端部から反挿入方向へ向かって外方へ拡がるようなテーパ部７が形成されている。そして、テーパ部７の終端部分は、内挿端部部分４Ｃの横方向へ突出形成されたひっかかり部８へ連接されたものとなっている。
このひっかかり部８の、テーパ部７とは反対側に隣接する部位には、ケース３に設けられる係止突起３Ｃが嵌まり込む程度の大きさの凹部９が形成されている。
【００２４】
本発明の実施の形態においては、内挿端部部分４Ｃの横幅をＷ１とすると、ひっかかり部８の先端部分同士の幅Ｗ２は、内挿端部部分４Ｃの横幅Ｗ１より若干大きく設定されている（図３参照）。
【００２５】
なお、本発明の実施の形態においては、内挿端部部分４Ｃに形成された凹溝４Ｄに対向する端子板５の平坦部５Ｇの一部両側には切欠１０が形成されており、その部分の端子板５の横幅は他の部位よりも細くなっている（図２参照）。
【００２６】
一方、ケース３には、その前側から上述の内挿端部部分４Ｃが挿入される挿入溝３Ｂが形成されている（図４参照）。この挿入溝３Ｂは、その横幅（図４において紙面上下方向）が内挿端部部分４Ｃの横幅Ｗ１にほぼ等しく、かつ、その厚み（図４において紙面表裏方向）は内挿端部部分４Ｃの板厚にほぼ等しく形成されたものとなっている。
【００２７】
また、この挿入溝３Ｂの長さ、すなわち、内挿端部部分４Ｃのケース３への挿入方向の長さは、端子板４の長手軸方向に沿った内挿端部部分４Ｃの長さにほぼ等しいものとなっている。
【００２８】
さらに、挿入溝３Ｂの内部側壁には、内挿端部部分４Ｃが挿入された際に、ひっかかり部８が係止される係止突起３Ｃが突出形成されており（図４参照）、この係止突起３Ｃとひっかかり部８とで係止部が構成されるものとなっている。
【００２９】
次に、上記構成のアンテナ用コイル装置において、特に、組み立ての際のケース３への内挿端部部分４Ｃの挿入作業の手順について説明する。
【００３０】
まず、ケース３の前側における挿入溝３Ｂの開口部分に端子板４の内挿端部部分４Ｃの先端部分を位置させ、外出端部部分４Ａ側から挿入溝３Ｂ内部へ全体を押し込むように力を加える。外出端部部分４Ａ側からの押圧力によって、内挿端部部分４Ｃの先端部は挿入溝３Ｂ内へ入り込むこととなるが、本発明の実施の形態においては、内挿端部部分４Ｃに凹溝４Ｄが形成されて、先端部分が凹溝４Ｄの幅方向内側へ撓み易くなっていることと相俟って、テーパ部７が両側に形成されているために、内挿端部部分４Ｃは比較的容易に挿入溝３Ｂの奧へ挿入せしめられるようになっている。
【００３１】
そして、内挿端部部分４Ｃが挿入溝３Ｂ内をさらに進むと、ひっかかり部８は挿入溝３Ｂ内に設けられた係止突起３Ｃに当接し、その挿入操作に応じて、先割り状に形成された各部位４Ｅ，４Ｆが凹溝４Ｄ側へ大きく撓むことができるので、このひっかかり部８も凹溝４Ｄ側へ移動しつつこの係止突起３Ｃを越えて先へ進むことができる。そして、ひっかかり部８が係止突起３Ｃを完全に越えたところで、係止突起３Ｃが内挿端部部分４Ｃの凹部９に嵌まり込み、ケース３の挿入溝３Ｂへの端子板４の挿入が完了することとなる。
【００３２】
そして、端子板４の挿入完了後は、ひっかかり部８が係止突起３Ｃに係止されるとともに、係止突起３Ｃが凹部９に嵌まり込んでいるため、端子板４は、挿入方向とは逆方向には容易に抜けることはなく、確実で信頼性の高い、ケース３による端子板４の保持が実現されるものとなっている。
【００３３】
上述した構成例においては、内挿端部部分４Ｃの幅Ｗ１と挿入溝３Ｂの幅をほぼ同一とし、２つのひっかかり部８の先端部間の幅Ｗ２をＷ１より若干大きく設定したが、必ずしもこのような設定に限定される必要はないものである。すなわち、例えば、ひっかかり部８の先端部間の幅Ｗ２と挿入溝３Ｂの幅をほぼ同一とし、内挿端部部分４Ｃの幅Ｗ１をＷ２より若干小さく設定してもよい。
【００３４】
また、内挿端部部分４Ｃの２つの先割り状の部位４Ｅ，４Ｆにそれぞれテーパ部７およびひっかかり部８を形成するようにしたが、例えば図５に示すように、いずれか一方のみにテーパ部１０７、ひっかかり部１０８および凹部１０９を形成する簡易な構成としても勿論よいものである。この場合には、挿入溝３Ｂ内の係止突起３Ｃも、凹部１０９と対応する側のみに１つ設ければよい。さらに、内挿端部部分４Ｃは、テーパ部７を省いたより簡易な構成としてもよい。
【００３５】
なお、本発明の実施の形態におけるアンテナ用コイル装置では、内挿端部部分４Ｃの先割り状に形成された各部位４Ｅ、４Ｆと対向する端子板５の部位は、切欠１０となっており、また、この切欠１０が形成された端子板５の中央平坦部５Ｇの部分に対向する内挿端部部分４Ｃの部位は凹溝４Ｄとなっているため（図２参照）、端子板４と端子板５間の浮遊容量が従来のものに比して低減されるものとなっている。そのため、アンテナ用コイル装置としての自己共振周波数を従来のものに比して高いものとすることができる。
【図面の簡単な説明】
【００３６】
【図１】本発明の実施形態に係るアンテナ用コイル装置を示す概略図（（Ａ）は上面側斜視図、（Ｂ）は底面側斜視図、（Ｃ）は端子板のみを取り出した状態を示す斜視図）
【図２】本発明の実施形態に係るアンテナ用コイル装置の端子板のみを取り出した状態を示す平面図
【図３】本発明の実施形態に係るアンテナ用コイル装置の一方の端子板の先端部分の拡大平面図
【図４】本発明の実施形態に係るアンテナ用コイル装置のケースの平面図
【図５】図２に示す端子板の変形態様を示す平面図
【符号の説明】
【００３７】
３      ケース
３Ｂ      挿入溝
３Ｃ      係止突起
４、５、１０４      端子板
４Ｃ      内挿端部部分
４Ｄ      凹溝
４Ｅ、４Ｆ      先割り状の部位
７、１０７      テーパ部
８、１０８      ひっかかり部
９，１０９      凹部
１０      切欠
１００      アンテナ用コイル装置
【図１】
2006311281.tif 000003
【図２】
2006311281.tif 000004
【図３】
2006311281.tif 000005
【図４】
2006311281.tif 000006
【図５】
2006311281.tif 000007